(57)【要約】【課題】筆記先端をシールするシール部を内蔵した回転式筆記具において、筆記先端の位置が本体の外面から分かるようにする。【解決手段】本体１の後部に作動カム２を所定範囲内で回転可能に設ける。本体内には作動カムに設けたカム溝２４により前進、後退するよう筆記体３が挿入されている。筆記体の先端部をシールするシール部４が本体内に設けられている。本体と作動カムの当接部の外形状は断面略正三角形に形成され、作動カムの回転開始の位置では本体と作動カムの当接部の外形状が一致しているが、作動カムを回転した状態では本体と作動カムの当接部の外形状がずれる。【選択図】図１
2015100987.tif 000002
【特許請求の範囲】
【請求項１】
ねじ状のカム溝を有する作動カムを本体の後部に所定範囲内で回転可能に設け、該作動カムを回転した際本体の軸方向に移動するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の回動位置を規制する規制部材を設け、上記作動カムが回転開始の位置にあるとき、本体と作動カムの当接部の外形状が一致し、作動カムが回転したとき当接部の外形状が位置ずれして本体と作動カムの回転が分かるよう本体と作動カムの断面形状を円形以外の異形形状に形成したことを特徴とする回転式筆記具。
【請求項２】
上記本体と作動カムの外形状は略断面三角形である請求項１に記載の回転式筆記具。
【請求項３】
上記作動カムの規制部材は、本体内に設けた制御リブと、作動カムが最初の位置にあるとき切欠き端の一端が該制御リブに当接し、最初の位置から１８０度回転した位置にあるとき切欠き端の他端が該制御リブに当接するよう作動カムに設けた切欠き部である請求項１又は２に記載の回転式筆記具。
【請求項４】
上記作動カムは、本体内に回転可能状態に挿入された内方カムを有し、該内方カムとの間で上記カム溝が形成されている請求項１から３のいずれかに記載の回転式筆記具。
【請求項５】
上記シール部は、筆記先端を囲むホルダーと、該ホルダーに挿入された筒状シールを含み、ホルダーには前進した際該筒状シールの開口を開放し後退した際筒状シールの開口を閉鎖する蓋片が設けられている請求項１から４のいずれかに記載の回転式筆記具。
【請求項６】
上記ホルダーは筆記体の外面に摺接し、上記筆記体が後退するとき筆記体に係止して筆記体とともに後退するよう弾性つめを有する請求項５に記載の回転式筆記具。
【請求項７】
上記筆記体の案内ピンは、筆記先端がシール部に収納されシールされているとき作動カムのカム溝の後端側に位置し、筆記先端がシール部から突出しているときはカム溝の前端側に位置している請求項１から６のいずれかに記載の回転式筆記具。
【請求項８】
ねじ状のカム溝を有する作動カムを本体の後部に所定範囲内で回転可能に設け、該作動カムを回転した際本体の軸方向に移動するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の回動位置を規制する規制部材を設け、上記作動カムの回転開始の位置と回転終了の位置で指示位置がずれて本体と作動カムの回転が分かるよう本体と作動カムに指示マークを設けたことを特徴とする回転式筆記具。
【発明の詳細な説明】
【技術分野】
【０００１】
本発明は、本体の後端に設けた回転部を回転して本体の先端から筆記先端を出没させる形式の回転式筆記具に関し、特に筆記先端をシールするシール部を本体内に具備する回転式筆記具に係るものである。
【背景技術】
【０００２】
マーカー等の揮発性や乾燥性のあるインクを使用し、先端に開閉式のシール部を設けた筆記具において、筆記先端を本体から繰り出す機構として、ノック操作で前後動する回転カムを介して繰り出す形式(例えば特許文献１参照)や、回転体を回転操作で繰り出す形式が知られている(例えば特許文献２参照)。ノック操作の場合、簡単に繰り出し操作ができるが、鞄やポケットに入れた状態でノックボタンが不用意に押されると、筆記先端が本体から突出して付近を汚すおそれがあった。また、ノック式の場合は、ノックボタンにより回転カムを前進させれば、シール部が開放されて筆記体は先端が突出し、ノック操作で筆記体を後退させれば、ノックボタンが復帰してシール部が閉塞される。このとき、ノックボタンは操作の途中で停止しないので、ノックボタンの位置で筆記体及びシール部の状態が分かる。
【０００３】
一方、回転式繰り出し機構の場合、回転体は回転の途中のどの位置でも回転を停止させることができる。そのため回転体の位置から筆記先端の進退状態やシール部が確実に開閉されているのかはっきり分からない。例えば特許文献２に記載の筆記具では、外装体の後端に設けた回転体を回転してカートリッジを進退させるとともにキャップを開閉させているが、外装体と回転体は同じ円筒状に形成されているので、回転体を回して停止させても回転体がどの程度回転されたのか不明であり、外部からはカートリッジの進退位置やキャップによる閉塞状態が分からない。筆記先端を完全に収納しない状態で回転体の回転を止めると、筆記先端のシールが不完全になり、先端が乾燥して使用不能になる時期が早くなる。
【０００４】
また、従来の回転式繰り出し機構では、手で触った触覚で回転体がどの程度回転されたのか、シール部がどうなっているのか分からない。
【先行技術文献】
【特許文献】
【０００５】
【特許文献１】特開２００４−１６７８３０号公報（特許請求の範囲、図１、図２〜図４）
【特許文献２】特開平６−２８６３９０号公報（特許請求の範囲、図１〜図５）
【発明の概要】
【発明が解決しようとする課題】
【０００６】
本発明の解決課題は、回転体を回転してマーカー等の筆記先端を繰り出し、かつ本体内に筆記先端をシールするシール部を設けた回転式筆記具において、筆記先端の状態やシール部の開閉状態が目視や触覚で分かるようにした回転式筆記具を提供することである。
【課題を解決するための手段】
【０００７】
本発明によれば、ねじ状のカム溝を有する作動カムを本体の後部に所定範囲内で回転可能に設け、該作動カムを回転した際本体の軸方向に移動するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の回動位置を規制する規制部材を設け、上記作動カムが回転開始の位置にあるとき、本体と作動カムの当接部の外形状が一致し、作動カムが回転したとき当接部の外形状が位置ずれして本体と作動カムの回転が分かるよう本体と作動カムの断面形状を円形以外の異形形状に形成したことを特徴とする回転式筆記具が提供され、上記課題が解決される。
【０００８】
また、本発明によれば、上記本体と作動カムの外形状は略断面三角形であり、作動カムの回動規制部材は、本体内に設けた制御リブと、作動カムが最初の位置にあるとき切欠き端の一端が該制御リブに当接し、最初の位置から１８０度回転した位置にあるとき切欠き端の他端が該制御リブに当接するよう作動カムに設けた切欠き部である上記回転式筆記具が提供される。
【発明の効果】
【０００９】
本発明は上記のように構成され、ねじ状のカム溝を有する作動カムを本体の後部に所定範囲内で回転可能に設け、該作動カムを回転した際本体の軸方向に移動するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の回動位置を規制する規制部材を設け、上記作動カムが回転開始の位置にあるとき、本体と作動カムの当接部の外形状が一致し、作動カムが回転したとき当接部の外形状が位置ずれして本体と作動カムの回転が分かるよう本体と作動カムの断面形状を円形以外の異形形状に形成したから、筆記先端が本体内に収納されている最初の状態では、作動カムと本体の当接部の外形状は一致している。したがって、視角で分かるのは勿論手で当接部を触れれば触覚でも筆記先端が本体内に収納されてシール部で確実にシールされていることが容易に分かる。そして、作動カムを所定範囲内で回転すると、規制部材により作動カムの回転は定位置で停止し、作動カムと本体の当接部の外形状は不一致となる。このとき筆記先端は本体から突出するから、突出位置にあることが本体の外面を目視して分かり、当接部を手で触れても分かる。また、作動カムを逆方向に回転すると、所定範囲回転した状態で回転が停止し、本体と作動カムの当接部の外形状は一致する。このとき上記シール部が閉鎖して筆記先端はシールされるので、シールの状態が外部から確実に分かる。若し当接部の外形状が一致していないときには、一致する位置までさらに回転させればよい。
【００１０】
また、上記本体と作動カムの少なくとも当接部の外形状を略断面三角形とし、作動カムの回転範囲を１８０度とすると、筆記先端がシール部で完全にシールされているとき、上記当接部の外形状が断面略正三角形で一致するので、視角、触覚による認識一層分かりやすい。作動カムを所定範囲まで回転させたときは、当接部の外観が断面略正六角形となるから、やはり視覚、触覚により簡単に判別できる。上記作動カムの規制部材を、本体内に設けた制御リブと、作動カムが最初の位置にあるとき切欠き端の一端が該制御リブに当接し、最初の位置から１８０度回転した位置にあるとき切欠き端の他端が該制御リブに当接するよう作動カムに設けた切欠き部で構成すると、構成が簡単であり、組立作業も容易である。
【図面の簡単な説明】
【００１１】
【図１】本発明の一実施例を示す断面図。
【図２】本体を示し（Ａ）は平面図、（Ｂ）は正面図、（Ｃ）は回り止め突起に沿った断面図、(Ｄ)は受孔に沿った断面図、(Ｅ)は左側面図、(Ｆ)は右側面図、(Ｇ)は図(Ｃ)のＧ−Ｇ線断面図。
【図３】テーパー部材を示し（Ａ）は正面図、（Ｂ）は底面図、(Ｃ)は断面図、(Ｄ)は左側面図、(Ｅ)は右側面図。
【図４】作動カムを示し、（Ａ）は平面図、（Ｂ）は正面図、(Ｃ)は断面図、(Ｄ)は左亜側面図、(Ｅ)はカム面の展開説明図。
【図５】キャップを示し、（Ａ）は平面図、（Ｂ）は正面図、(Ｃ)は断面図、(Ｄ)は左側面図。
【図６】内方カムを示し、（Ａ）は正面図、（Ｂ）は断面図、(Ｃ)は右側面図、(Ｄ)はカム面の展開図。
【図７】本体に内方カムを組み込んだ状態の断面図。
【図８】本体と内方カムの関係を示し、（Ａ）は筆記先端を本体内に収納した状態の説明図、(Ｂ)は筆記先端を突出させて筆記する状態の説明図。
【図９】インクタンクを示し、（Ａ）は平面図、（Ｂ）は断面図、(Ｃ)は左側面図、(Ｄ)は右側面図。
【図１０】リードチューブを示し、(Ａ)は平面図、(Ｂ)は正面図。
【図１１】チップの正面図。
【図１２】ホルダーを示し、(Ａ)は平面図、(Ｂ)は正面図、(Ｃ)は断面図、(Ｄ)は左側面図、(Ｅ)は右側面図。
【図１３】筒状シールを示し、(Ａ)は平面図、(Ｂ)は正面図、(Ｃ)は底面図、(Ｄ)は断面図、(Ｅ)は左側面図。
【図１４】図１に示す状態の本体と作動カムの関係を示す説明図。
【図１５】図１に示す状態から作動カムを回転させた状態の説明図。
【図１６】図１５に示す状態からさらに作動カムを回転し、シール部の蓋片が開いた状態の説明図。
【図１７】筆記先端が本体から突出している筆記状態を示す説明図。
【図１８】筆記状態の本体と作動カムの関係を示す説明図。
【発明を実施するための形態】
【００１２】
図１は本発明の一実施例を示し、本発明の回転式筆記具は、筒状の本体１と、本体１の後端に回転可能に設けた作動カム２と、作動カム２の回転により本体１の軸方向に進退する筆記体３と、筆記体の先端部をシールするシール部４を具備している。実施例において、本体１は、断面略正三角形に形成され、前方にテーパー部材５を連結するための小径部６を有し、該小径部６の外面には環状の係止突起７と、軸方向に対向して延びる回り止め突起８があり、内面には軸方向に延びる回り止めリブ９と長溝１０が形成されている。段部１１を介して小径部６より外径、内径が広がる本体の大径部１２の内面には軸方向に延びる制御リブ１３と停止リブ１４が対向状態に形成され、該制御リブ１３の内方端は停止リブ１４の内方端より後方に長さ(α)延びている。また、本体の後部内面には作動カム２を回動可能に係止するための環状突起１５と受孔１６が形成されている。
【００１３】
上記テーパー部材５は、図３に示すように、先端に筆記体３の先端が出没する開口１７を有する先細の筒状体であって、上記本体１の外形状と同じ形状、図に示す実施例では断面略正三角形状に形成されており、一側に逃げ孔１８とこの逃げ孔１８の外方部分に対向して起立させた起立片１９を設けてある。該テーパー部材５の内面には、上記逃げ孔１８の側方から後方に向けて延びるつめ片２０が設けられ、逃げ孔１８と対向する位置には、平面部２１が形成されている。また、上記本体１の小径部６に形成した回り止め突起８が挿入される受孔２２と小径部の上記係止突起７と係合する係止突起２３が設けられている。
【００１４】
上記作動カム２は、ねじ状のカム溝２４を形成するよう内方カム２５と組み合される。該作動カム２は、図４に示すように、前方部分が上記本体１に挿入できるような筒状に形成され、上記本体１の外形状に合わせて断面略正三角形状に設けられている。この前方部分には、カム溝２４を形成するための傾斜面２６と、内方カム２５と当接する当たり面２７と、噛み合わせのための凹部２８が設けられている。作動カム２の外周面には、上記本体１の環状突起１５に回転可能に係合する係合突起２９と、上記本体１の受孔１６に係合する環状突起３０と、本体１の後端に当接するフランジ３１があり、フランジ３１から後方に向かって孔３２を有するつまみ片３３及び環状の係止突起３４が設けられている。上記カム溝２４の長さは、１８０度回転させる間に、上記筆記体３の筆記先端を突出位置に前進させ、若しくは反転させて筆記位置から収納位置に後退できる長さに形成される。
【００１５】
上記作動カム２の後端には、キャップ３５が装着されている。キャップ３５は図５に示すように、後端が閉塞された筒状に形成され、上記作動カム２と同様に断面略正三角形に設けられ、上記作動カム２のつまみ片３３を受け入れる凹部３６と、作動カム２の係止突起３４に係合する係止突起３７が設けられている。
【００１６】
内方カム２５は、図６に示すように、上記本体１内に回転可能に挿入される外径を有し、作動カム２側にカム溝２４を構成する傾斜面３８が形成され、かつ上記作動カム２の当たり面２７に当接する当たり面３９と上記凹部２８に係合する連結突起４０を有し、上記当たり面２７，３９が当接することにより上記カム溝２４の幅が規制される。
【００１７】
作動カム２には、回転開始の位置と回転終了の回動位置を規制するための規制部材が設けられている。図に示す実施例では、内方カム２５の内方端側に切欠き部４１を形成し、該切欠き部４１の一方端４２と他方端４３を１８０度対向した位置に設け、図７に示すように、上記本体１内に設けた制御リブ１３の先端が該切欠き部４１に入り込むようにしてある。これにより、図８に示すように、作動カム２は、切欠き部４の一方端４２が制御リブ１３に当たる位置から、切欠き部４１の他方端４３が制御リブ１３に当たる位置まで回転可能である。なお、切欠き部４１の深さは、内方カム２５をその内方端が上記本体１の停止リブ１４に当たる位置まで挿入したとき、上記制御リブ１３の先端が切欠き部４１に入り込むよう上記長さ(α)を考慮して設けられる。
【００１８】
上記筆記体３は、インクを蓄積する棒状の中綿４４を収納するインクタンク４５(図９参照)と、インクタンク４５に接続されるリードチューブ４６(図１０参照)と、該リードチューブ４６に挿入され先端に筆記先端４７を有し後端に上記中綿４４に差し込まれる差込端４８を有するチップ４９(図１１参照)で構成されている。上記インクタンク４５は、図９に示すように、上記作動カム２のカム溝２４に係合する案内ピン５０を外周に有し、先端には環状の係止突起５１と、前方に延びる係止つめ５２と係止溝５３が設けられている。上記リードチューブ４６は、図１０に示すように、一端が上記インクタンク４５を挿入できるよう径大部５４に形成され、径大部５４の内面には、上記インクタンク４５の係止つめ５２と係止溝５３に組み込まれる内方突起５５と、上記環状の係止突起５１に係合する係止突起５６が設けられている。上記リードチューブ４６の径大部の外面には、軸方向に延びる摺動溝５７が形成され、該摺動溝５７が上記本体１の制御リブ１３及び停止リブ１４に入り込むことによりリードチューブ４６は回転することなく軸方向に移動可能である。また、リードチューブ４６の前方の小径部５８には平面部５９と環状のシール用突出部６０が形成され、先端には小さな凹部６１が設けられている。
【００１９】
上記シール部４には、筆記先端４７が本体１内に収納されているとき、該筆記先端４７をシールし、筆記体３が前進するときシールを開放して筆記先端４７の突出を許容する。該シール部４は、種々の構成に形成することができる。図１に示すシール部４は、好ましくは硬質プラスチック材料等で形成されたホルダー６２(図１２参照)と、該ホルダー６２内に収納され好ましくは軟質プラスチック材料等で形成された筒状シール６３(図１３参照)で構成されている。ホルダー６２は、図１２に示すように、上記本体１の小径部６に摺動可能に挿入できる外径に形成され、後端に上記リードチューブ４６の外面の平面部５９を摺動しかつシール用突出部６０の側面に係合してリードチューブ４６とともにホルダー６２を後退させることができるよう弾性つめ６４が設けられている。ホルダー６２の側面には上記本体１の小径部６の内面に設けた回り止めリブ９に摺動可能に係合する受溝６５および本体１の長溝１０に摺動可能に係合するガイド突起６６がある。ホルダー６２の前部は、傾斜面６７に形成され、開閉可能な蓋片６８がヒンジ６９を介して形成され、蓋片６８の裏面には側面に段部を形成した押圧リブ７０が設けられている。上記傾斜面６７の一部には凹部７１が設けられている。上記ホルダー６２は上記本体１の小径部６に摺動可能に挿入され、本体１の段部１１と上記ガイド突起６６の間に設けたばね７２により前方に付勢されている。
【００２０】
上記筒状シール６３は、前方、後方が開口し、上記ホルダー６２に内装され、後部に上記ホルダー６２の後端に係止される係止突起７３があり、内面には上記筆記体３が本体１内に収納されたときリードチューブ４６のシール用突出部６０に当接してリードチューブ４６の外周をシールするシール用内面突起７４が設けられている。また、筒状シール６３の先端にはホルダー６２の傾斜面６７の周囲縁に係合する突部７５と上記傾斜面６７の凹部７１に係合する突起部７６が設けられ、筒状シール６３を回転不能状態で上記ホルダー６２に装着してある。
【００２１】
而して、上記構成により筆記先端４７が本体１内に収納され、蓋片６８により筒状シールの開口が閉鎖され、シール用突出部６０とシール用内面突起７４が当接している状態ではシール部４により該筆記先端４７はシールされ乾燥が防止されている。このとき、本体１と作動カム２の外形状はフランジ３１の当接部で一致しており、その状態をイメージで示せば図１４に図示するようになっている。また、筆記具の案内ピン５０はカム溝２４の後端側に位置している。
【００２２】
この状態からつまみ片３３を案内として作動カム２を回転すると、カム溝２４が回転するから、案内ピン５０を介してインクタンク４５、リードチューブ４６、チップ４９を含む筆記体３が前進し、シール部４もばね７２の作用で一緒に前進を始める(図１５参照)。シール部４の押圧リブ７０がテーパー部材５のつめ片２０に当たると、図１６に示すように、押圧リブ７０を逃げ孔１８に入り込ませながら蓋片６８が開放される。このときシール部４の前進は、ホルダー６２のガイド突起６６がテーパー部材５の平面部２１の端面に当たって停止し、筆記先端４７がテーパー部材５の開口１７から突出する(図１７参照)。上記案内ピン５０はカム溝２４に沿って前端側に移動しており、本体１と作動カム２の当接部の状態をイメージで示すと、図１８のように当接部の外形状がずれている。したがって、その外形をみて、シール部４が開放されていることと、筆記先端４７が突出していることがわかる。
【００２３】
図１７に示す状態から作動カム２を逆方向に回転すると、上述とは逆に、筆記体３は後退し、ホルダー６２の弾性つめ６４がリードチューブのシール用突出部６０の側面に係止するとシール部４は筆記体３とともに後退する。その結果、押圧リブ７０がテーパー部材５の内面に摺接し蓋片６８は回動して閉まり始める(図１６、図１５)。そして、筆記先端４７がシール部４内に完全に収納され、蓋片６８が筒状シール６３の開口を閉鎖し、シール用突出部６０とシール用内方突起７４が密着してシールが完了した状態になると、図１に示す状態の戻り、作動カム２の回転は停止する。このとき、本体１と作動カム２の当接部の外形状は図１４に示すように一致しているから、筆記先端４７が完全にシール部４内に収納され、確実にシールされていることが外観からも分かる。作動カム２と本体１の当接部の外形状が一致していない場合は、まだ筆記先端４７の収納やシールが不完全であることが外観から分かるので、そのようなときは、さらに作動カムが停止するまで回転させればよい。
【００２４】
上記実施例では本体１と作動カム２の断面形状を、略正三角形に形成したが、上述したように本発明の筆記具は、作動カムが回転開始の位置にあるとき本体と作動カムの当接部の外形状が一致し、作動カムが回転したとき当接部の外形状が位置ずれして本体１と作動カム２の回転が分かればよいので、略断面正三角形以外の断面多角形や楕円形その他の円形以外の異形形状にすることができる。また、本体後端部と作動カムに、筆記位置と非筆記位置で指示位置がずれるようにリブ状の突起や凹みで指示マークを設けたり、印刷、刻印等で「ＲＯＣＫ」、「ＵＮＲＯＣＫ」等の指示マークを設けて回転開始と回転終了の位置が分かるようにしてもよい。
【符号の説明】
【００２５】
１    本体
２    作動カム
３    筆記体
４    シール部
５    テーパー部材
１３  制御リブ
２４  カム溝
２５  内方カム
３５  キャップ
４５  インクタンク
４６  リードチューブ
４７  筆記先端
４９  チップ
５０  案内ピン
６２  ホルダー
６３  筒状シール
６８  蓋片
７０  押圧リブ
【図１】
2015100987.tif 000003
【図２】
2015100987.tif 000004
【図３】
2015100987.tif 000005
【図４】
2015100987.tif 000006
【図５】
2015100987.tif 000007
【図６】
2015100987.tif 000008
【図７】
2015100987.tif 000009
【図８】
2015100987.tif 000010
【図９】
2015100987.tif 000011
【図１０】
2015100987.tif 000012
【図１１】
2015100987.tif 000013
【図１２】
2015100987.tif 000014
【図１３】
2015100987.tif 000015
【図１４】
2015100987.tif 000016
【図１５】
2015100987.tif 000017
【図１６】
2015100987.tif 000018
【図１７】
2015100987.tif 000019
【図１８】
2015100987.tif 000020
【手続補正書】
【提出日】平成26年8月7日(2014.8.7)
【手続補正１】
【補正対象書類名】明細書
【補正対象項目名】００１１
【補正方法】変更
【補正の内容】
【００１１】
【図１】本発明の一実施例を示す断面図。
【図２】本体を示し（Ａ）は平面図、（Ｂ）は正面図、（Ｃ）は回り止め突起に沿った断面図、(Ｄ)は受孔に沿った断面図、(Ｅ)は左側面図、(Ｆ)は右側面図、(Ｇ)は図(Ｃ)のＧ−Ｇ線断面図。
【図３】テーパー部材を示し（Ａ）は正面図、（Ｂ）は底面図、(Ｃ)は断面図、(Ｄ)は左側面図、(Ｅ)は右側面図。
【図４】作動カムを示し、（Ａ）は平面図、（Ｂ）は正面図、(Ｃ)は断面図、(Ｄ)は左亜側面図、(Ｅ)はカム面の展開説明図。
【図５】キャップを示し、（Ａ）は平面図、（Ｂ）は正面図、(Ｃ)は断面図、(Ｄ)は左側面図。
【図６】内方カムを示し、（Ａ）は正面図、（Ｂ）は断面図、(Ｃ)は右側面図、(Ｄ)はカム面の展開図。
【図７】本体に内方カムを組み込んだ状態の断面図。
【図８】本体と内方カムの関係を示し、（Ａ）は筆記先端を本体内に収納した状態の説明図、(Ｂ)は筆記先端を突出させて筆記する状態の説明図。
【図９】インクタンクを示し、（Ａ）は平面図、（Ｂ）は断面図、(Ｃ)は左側面図。
【図１０】リードチューブを示し、(Ａ)は平面図、(Ｂ)は断面図、(Ｃ)は左側面図、(Ｄ)は右側面図。
【図１１】チップの正面図。
【図１２】ホルダーを示し、(Ａ)は平面図、(Ｂ)は正面図、(Ｃ)は断面図、(Ｄ)は右側面図、(Ｅ)は左側面図。
【図１３】筒状シールを示し、(Ａ)は平面図、(Ｂ)は正面図、(Ｃ)は底面図、(Ｄ)は断面図、(Ｅ)は左側面図。
【図１４】図１に示す状態の本体と作動カムの関係を示す説明図。
【図１５】図１に示す状態から作動カムを回転させた状態の説明図。
【図１６】図１５に示す状態からさらに作動カムを回転し、シール部の蓋片が開いた状態の説明図。
【図１７】筆記先端が本体から突出している筆記状態を示す説明図。
【図１８】筆記状態の本体と作動カムの関係を示す説明図。
【手続補正２】
【補正対象書類名】明細書
【補正対象項目名】００１４
【補正方法】変更
【補正の内容】
【００１４】
上記作動カム２は、ねじ状のカム溝２４を形成するよう内方カム２５と組み合される。該作動カム２は、図４に示すように、上記本体１に回転可能に挿入できるような筒状に形成され、中間部分には本体１の外形状に合わせて断面略正三角形状に形成したフランジ３１が設けられている。この前方部分には、カム溝２４を形成するための傾斜面２６と、内方カム２５と当接する当たり面２７と、噛み合わせのための凹部２８が設けられている。作動カム２の外周面には、上記本体１の環状突起１５に回転可能に係合する係合突起２９と、上記本体１の受孔１６に係合する環状突起３０と、本体１の後端に当接する上記フランジ３１があり、フランジ３１から後方に向かって孔３２を有するつまみ片３３及び環状の係止突起３４が設けられている。上記カム溝２４の長さは、１８０度回転させる間に、上記筆記体３の筆記先端を突出位置に前進させ、若しくは反転させて筆記位置から収納位置に後退できる長さに形成される。
【手続補正３】
【補正対象書類名】明細書
【補正対象項目名】００１５
【補正方法】変更
【補正の内容】
【００１５】
上記作動カム２の後端には、キャップ３５が装着されている。キャップ３５は図５に示すように、後端が閉塞された筒状に形成され、外形状が断面略正三角形に設けられ、上記作動カム２のつまみ片３３を受け入れる凹部３６と、作動カム２の係止突起３４に係合する係止突起３７が設けられている。作動カムにキャップを装着すると、キャップは先端が上記フランジに当接し、作動カムの外観は、本体の外形状と同様に断面略正三角形状となる。
【手続補正４】
【補正対象書類名】特許請求の範囲
【補正対象項目名】請求項１
【補正方法】変更
【補正の内容】
【請求項１】
ねじ状のカム溝を有する作動カムを本体の後部に所定範囲内で回転可能に当接し、該作動カムを回転した際本体の軸方向に移動するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の回動位置を規制する規制部材を設け、上記作動カムが回転開始の位置にあるとき、本体と作動カムの当接部の外形状が一致し、作動カムが回転したとき当接部の外形状が位置ずれして本体と作動カムの回転が分かるよう本体と作動カムの断面形状を円形以外の異形形状に形成したことを特徴とする回転式筆記具。
【手続補正５】
【補正対象書類名】図面
【補正対象項目名】図８
【補正方法】変更
【補正の内容】
【図８】
2015100987.tif 000021
【手続補正書】
【提出日】平成26年8月12日(2014.8.12)
【手続補正１】
【補正対象書類名】明細書
【補正対象項目名】０００８
【補正方法】変更
【補正の内容】
【０００８】
また、本発明によれば、上記本体と作動カムの外形状は断面略正三角形であり、作動カムの回動規制部材は、本体内に設けた制御リブと、作動カムが回転開始の位置にあるとき切欠き端の一端が該制御リブに当接し、回転開始の位置から１８０度回転した回転終了の位置にあるとき切欠き端の他端が該制御リブに当接するよう作動カムに設けた切欠き部である上記回転式筆記具が提供される。
【手続補正２】
【補正対象書類名】明細書
【補正対象項目名】０００９
【補正方法】変更
【補正の内容】
【０００９】
本発明は上記のように構成され、ねじ状のカム溝を有する作動カムを本体の後部に所定範囲内で回転可能に設け、該作動カムを回転した際本体の軸方向に移動するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の位置を規制する規制部材を設け、上記作動カムが回転開始の位置にあるとき、本体と作動カムの当接部の外形状が一致し、作動カムが回転したとき当接部の外形状が位置ずれして本体と作動カムの回転が分かるよう本体と作動カムの当接部の断面形状を円形以外の異形形状に形成したから、筆記先端が本体内に収納されている最初の状態では、作動カムと本体の当接部の外形状は一致している。したがって、視覚で分かるのは勿論手で当接部を触れれば触覚でも筆記先端が本体内に収納されてシール部で確実にシールされていることが容易に分かる。そして、作動カムを所定範囲内で回転すると、規制部材により作動カムの回転は定位置で停止し、作動カムと本体の当接部の外形状は不一致となる。このとき筆記先端は本体から突出するから、突出位置にあることが本体の外面を目視して分かり、当接部を手で触れても分かる。また、作動カムを逆方向に回転すると、所定範囲回転した状態で回転が停止し、本体と作動カムの当接部の外形状は一致する。このとき上記シール部が閉鎖して筆記先端はシールされるので、シールの状態が外部から確実に分かる。若し当接部の外形状が一致していないときには、一致する位置までさらに回転させればよい。
【手続補正３】
【補正対象書類名】明細書
【補正対象項目名】００１０
【補正方法】変更
【補正の内容】
【００１０】
また、上記本体と作動カムの少なくとも当接部の外形状を断面略正三角形とし、作動カムの回転範囲を１８０度とすると、筆記先端がシール部で完全にシールされているとき、上記当接部の外形状が断面略正三角形で一致するので、視覚、触覚による認識が一層分かりやすい。作動カムを所定範囲まで回転させたときは、当接部の外観が断面略正六角形となるから、やはり視覚、触覚により簡単に判別できる。上記作動カムの規制部材を、本体内に設けた制御リブと、作動カムが回転開始の位置にあるとき切欠き端の一端が該制御リブに当接し、回転開始の位置から１８０度回転した回転終了の位置にあるとき切欠き端の他端が該制御リブに当接するよう作動カムに設けた切欠き部で構成すると、規制部材の構成が簡単であり、組立作業も容易である。
【手続補正４】
【補正対象書類名】明細書
【補正対象項目名】００１１
【補正方法】変更
【補正の内容】
【００１１】
【図１】本発明の一実施例を示す断面図。
【図２】本体を示し（Ａ）は平面図、（Ｂ）は正面図、（Ｃ）は回り止め突起に沿った断面図、(Ｄ)は受孔に沿った断面図、(Ｅ)は左側面図、(Ｆ)は右側面図、(Ｇ)は図(Ｃ)のＧ−Ｇ線断面図。
【図３】テーパー部材を示し（Ａ）は正面図、（Ｂ）は底面図、(Ｃ)は断面図、(Ｄ)は左側面図、(Ｅ)は右側面図。
【図４】作動カムを示し、（Ａ）は平面図、（Ｂ）は正面図、(Ｃ)は断面図、(Ｄ)は左側面図、(Ｅ)はカム面の展開説明図。
【図５】キャップを示し、（Ａ）は平面図、（Ｂ）は正面図、(Ｃ)は断面図、(Ｄ)は左側面図。
【図６】内方カムを示し、（Ａ）は正面図、（Ｂ）は断面図、(Ｃ)は右側面図、(Ｄ)はカム面の展開図。
【図７】本体に内方カムを組み込んだ状態の断面図。
【図８】本体と内方カムの関係を示し、（Ａ）は筆記先端を本体内に収納した状態の説明図、(Ｂ)は筆記先端を突出させて筆記する状態の説明図。
【図９】インクタンクを示し、（Ａ）は平面図、（Ｂ）は断面図、(Ｃ)は左側面図。
【図１０】リードチューブを示し、(Ａ)は平面図、(Ｂ)は断面図、(Ｃ)は左側面図、(Ｄ)は右側面図。
【図１１】チップの正面図。
【図１２】ホルダーを示し、(Ａ)は平面図、(Ｂ)は正面図、(Ｃ)は断面図、(Ｄ)は右側面図、(Ｅ)は左側面図。
【図１３】筒状シールを示し、(Ａ)は平面図、(Ｂ)は正面図、(Ｃ)は底面図、(Ｄ)は断面図、(Ｅ)は左側面図。
【図１４】図１に示す状態の本体と作動カムの関係を示す説明図。
【図１５】図１に示す状態から作動カムを回転させた状態の説明図。
【図１６】図１５に示す状態からさらに作動カムを回転し、シール部の蓋片が開いた状態の説明図。
【図１７】筆記先端が本体から突出している筆記状態を示す説明図。
【図１８】筆記状態の本体と作動カムの関係を示す説明図。
【手続補正５】
【補正対象書類名】明細書
【補正対象項目名】００１９
【補正方法】変更
【補正の内容】
【００１９】
上記シール部４は、筆記先端４７が本体１内に収納されているとき、該筆記先端４７をシールし、筆記体３が前進するときシールを開放して筆記先端４７の突出を許容する。該シール部４は、種々の構成に形成することができる。図１に示すシール部４は、好ましくは硬質プラスチック材料等で形成されたホルダー６２(図１２参照)と、該ホルダー６２内に収納され好ましくは軟質プラスチック材料等で形成された筒状シール６３(図１３参照)で構成されている。ホルダー６２は、図１２に示すように、上記本体１の小径部６に摺動可能に挿入できる外径に形成され、後端に上記リードチューブ４６の外面の平面部５９を摺動しかつシール用突出部６０の側面に係合してリードチューブ４６とともにホルダー６２を後退させることができるよう弾性つめ６４が設けられている。ホルダー６２の側面には上記本体１の小径部６の内面に設けた回り止めリブ９に摺動可能に係合する受溝６５および本体１の長溝１０に摺動可能に係合するガイド突起６６がある。ホルダー６２の前部は、傾斜面６７に形成され、開閉可能な蓋片６８がヒンジ６９を介して形成され、蓋片６８の裏面には側面に段部を形成した押圧リブ７０が設けられている。上記傾斜面６７の一部には凹部７１が設けられている。上記ホルダー６２は上記本体１の小径部６に摺動可能に挿入され、本体１の段部１１と上記ガイド突起６６の間に設けたばね７２により前方に付勢されている。
【手続補正６】
【補正対象書類名】特許請求の範囲
【補正対象項目名】全文
【補正方法】変更
【補正の内容】
【特許請求の範囲】
【請求項１】
ねじ状のカム溝を有する作動カムを本体の後部に所定範囲内で回転可能に当接し、該作動カムを回転した際本体の軸方向に前進、後退するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の位置を規制する規制部材を設け、上記作動カムが回転開始の位置にあるとき、本体と作動カムの当接部の外形状が一致し、作動カムが回転したとき当接部の外形状が位置ずれして本体と作動カムの回転が分かるよう本体と作動カムの当接部の断面形状を円形以外の異形形状に形成したことを特徴とする回転式筆記具。
【請求項２】
上記本体と作動カムの外形状は断面正三角形である請求項１に記載の回転式筆記具。
【請求項３】
上記作動カムの規制部材は、本体内に設けた制御リブと、作動カムが回転開始の位置にあるとき切欠き端の一端が該制御リブに当接し、回転開始の位置から１８０度回転した回転終了の位置にあるとき切欠き端の他端が該制御リブに当接するよう作動カムに設けた切欠き部である請求項１又は２に記載の回転式筆記具。
【請求項４】
上記作動カムは、本体内に回転可能に挿入された内方カムを有し、該内方カムとの間で上記カム溝が形成されている請求項１から３のいずれかに記載の回転式筆記具。
【請求項５】
上記シール部は、筆記先端を囲むホルダーと、該ホルダーに挿入された筒状シールを含み、ホルダーには筆記体が前進した際該筒状シールの開口を開放し筆記体が後退した際筒状シールの開口を閉鎖する蓋片が設けられている請求項１から４のいずれかに記載の回転式筆記具。
【請求項６】
上記ホルダーは、筆記体の外面に摺接し、上記筆記体が後退するとき筆記体に係止して筆記体とともに後退するよう弾性つめを有する請求項５に記載の回転式筆記具。
【請求項７】
上記筆記体の案内ピンは、筆記先端がシール部に収納されシールされているとき、作動カムのカム溝の後端側に位置し、筆記先端がシール部から突出しているときカム溝の前端側に位置している請求項１から６のいずれかに記載の回転式筆記具。
【請求項８】
ねじ状のカム溝を有する作動カムを本体の後部に所定範囲内で回転可能に設け、該作動カムを回転した際本体の軸方向に前進、後退するよう上記カム溝に係合する案内ピンを有する筆記体を本体内に回転不能に挿入し、筆記先端が本体内に収納されているとき該筆記先端をシールし筆記体が前進するときシールを開放して筆記先端の突出を許容するシール部を本体の内部に設け、上記作動カムの回転開始の位置と回転終了の位置を規制する規制部材を設け、上記作動カムの回転開始の位置と回転終了の位置で指示位置がずれて本体と作動カムの回転が分かるよう本体と作動カムに指示マークを設けたことを特徴とする回転式筆記具。